(57)【要約】【課題】部品点数の増加を抑えつつ筒部に支持部材を組み付ける際にシール部材の変位を規制することができる気化器を提供する。【解決手段】気化器１０は、吸気流路１６が形成された気化器本体１２と、チョーク弁２２と、気化器本体１２に固定された状態でチョーク弁２２の弁軸３０を回転自在に支持する筒状の支持部材２４と、チョークレバー２８とを備える。チョークレバー２８は、支持部材２４に回転自在に設けられた筒部４４を有し、筒部４４と支持部材２４との間には、シール部材５２が介設されている。筒部４４の一端部には、筒部４４の一端側へのシール部材５２の変位を規制する規制部５４が一体的に設けられている。【選択図】図１
2020041495.tif 000002
【特許請求の範囲】
【請求項１】
吸気流路が形成された気化器本体と、
前記吸気流路に設けられたチョーク弁と、
前記気化器本体に固定された状態で前記チョーク弁の弁軸を回転自在に支持する筒状の支持部材と、
前記弁軸を回転させるためのチョークレバーと、を備え、
前記チョークレバーは、前記支持部材に回転自在に設けられた筒部を有し、
前記筒部と前記支持部材との間には、シール部材が介設され、
前記筒部の一端部には、前記筒部の一端側への前記シール部材の変位を規制する規制部が一体的に設けられている、気化器。
【発明の詳細な説明】
【技術分野】
【０００１】
本発明は、吸気流路が形成された気化器に関する。
【背景技術】
【０００２】
例えば、特許文献１には、気化器のチョーク機構が開示されている。
【先行技術文献】
【特許文献】
【０００３】
【特許文献１】特開２０１３−９２１０１号公報
【発明の概要】
【発明が解決しようとする課題】
【０００４】
ところで、気化器のチョーク機構において、チョーク弁の弁軸を回転自在に支持する筒状の支持部材に回転自在にチョークレバーの筒部を設けるとともに筒部と支持部材との間にシール部材を介設することがある。このような構成のチョーク機構では、筒部の内面にシール部材を配置した状態で筒部の内孔に支持部材を組み付ける際にシール部材が筒部から抜け出ることを阻止するためにシール部材の変位を規制する必要がある。この際、筒部とは別体の規制部材を設けると、部品点数が増加するという問題がある。
【０００５】
本発明は、このような課題を考慮してなされたものであり、部品点数の増加を抑えつつ筒部に支持部材を組み付ける際にシール部材の変位を規制することができる気化器を提供することを目的とする。
【課題を解決するための手段】
【０００６】
本発明の一態様は、吸気流路が形成された気化器本体と、前記吸気流路に設けられたチョーク弁と、前記気化器本体に固定された状態で前記チョーク弁の弁軸を回転自在に支持する筒状の支持部材と、前記弁軸を回転させるためのチョークレバーと、を備え、前記チョークレバーは、前記支持部材に回転自在に設けられた筒部を有し、前記筒部と前記支持部材との間には、シール部材が介設され、前記筒部の一端部には、前記筒部の一端側への前記シール部材の変位を規制する規制部が一体的に設けられている、気化器である。
【発明の効果】
【０００７】
本発明によれば、筒部の一端部に規制部を一体的に設けているため、シール部材の変位を規制するための規制部材を筒部とは別に用意する必要がない。そのため、部品点数の増加を抑えつつ筒部に支持部材を組み付ける際にシール部材の変位を規制することができる。
【図面の簡単な説明】
【０００８】
【図１】図１Ａは、本発明の一実施形態に係る気化器の一部省略断面図であり、図１Ｂは、図１ＡのＩＢ−ＩＢ線に沿った断面図である。
【発明を実施するための形態】
【０００９】
以下、本発明に係る気化器について好適な実施形態を挙げ、添付の図面を参照しながら説明する。
【００１０】
図１Ａに示すように、本発明の一実施形態に係る気化器１０は、車両（例えば、二輪車）や作業機に搭載されるエンジンに設けられ、気化器本体１２と、気化器本体１２に設けられたチョーク機構１４とを備える。
【００１１】
気化器本体１２は、図示しないエンジンの吸気ポートに連通する吸気流路１６が形成されたボディ１８と、吸気流路１６を構成する壁面に開口する内孔２０ａを有する円筒状の保持部２０とを有する。保持部２０は、ボディ１８から吸気流路１６の側方に突出している。
【００１２】
チョーク機構１４は、燃料の混合比率を高めるために気化器１０の吸気量を制限するためのものである。チョーク機構１４は、チョーク弁２２、支持部材２４、付勢部材２６及びチョークレバー２８を有する。
【００１３】
チョーク弁２２は、吸気流路１６に設けられ、弁軸３０、弁体３２及び係合部３４を含む。弁軸３０は、保持部２０の内孔２０ａに挿通されている。弁軸３０の一端部（矢印Ｘ１方向の端部）は、吸気流路１６を形成する壁面に形成された凹部３６に回転自在に挿入されている。弁体３２は、吸気流路１６に位置するように弁軸３０に固定されている。係合部３４は、弁軸３０の他端部（矢印Ｘ２方向の端部）に固定されている。
【００１４】
支持部材２４は、気化器本体１２に固定された状態で弁軸３０を回転自在に支持するカラー（円筒部材）である。支持部材２４の内孔２４ａには、弁軸３０が挿通されている。支持部材２４は、全長に亘って一定の内径を有する。支持部材２４は、支持部材２４の一端部及び中間部を形成する小径部３８と、支持部材２４の他端部を形成する大径部４０とを有する。
【００１５】
小径部３８の一端部は、保持部２０の内孔２０ａに嵌合されている。換言すれば、小径部３８の一端部は、保持部２０に固定されている。小径部３８の他端部は、保持部２０の外側に位置する。大径部４０は、小径部３８の他端部に一体的に設けられている。大径部４０の外径は、小径部３８の外径よりも大きい。
【００１６】
付勢部材２６は、チョーク弁２２を回転方向の一方側（弁体３２の開度が小さくなる方向）に付勢するコイルスプリング４２である。コイルスプリング４２の内孔には、弁軸３０の他端部が挿通している。コイルスプリング４２の一端部は、大径部４０に係止されている。コイルスプリング４２の他端部は、係合部３４に係止されている。
【００１７】
チョークレバー２８は、チョーク弁２２を付勢部材２６の付勢方向とは反対方向（弁体３２の開度が大きくなる方向）に回転させるためのものである。チョークレバー２８は、筒部４４、操作部４６及びカバー部４８を有する。
【００１８】
筒部４４は、円筒状に形成され、大径部４０に対して回転自在に設けられている。具体的には、大径部４０の外周面は、筒部４４の軸線方向の略中央部の内周面に接触している。筒部４４の一端面は、保持部２０の突出端面に接触又は近接している。筒部４４の他端面は、弁軸３０の他端部の径方向外方に位置している。
【００１９】
筒部４４の中間部の内周面には、径方向内方に突出した円環状の内方凸部５０が設けられている。内方凸部５０の突出端面は、小径部３８の他端部の外周面に接触又は近接している。内方凸部５０は、大径部４０に対して接触又は近接している。
【００２０】
筒部４４のうち内方凸部５０よりも一端側の部位の内周面と小径部３８の外周面との間の空間Ｓには、円環状のシール部材５２が介設されている。シール部材５２は、例えば、ゴム材料によって形成されている。シール部材５２は、筒部４４の内周面と小径部３８の外周面とに接触している。
【００２１】
図１Ａ及び図１Ｂに示すように、筒部４４の一端部には、筒部４４の一端側（矢印Ｘ１方向）へのシール部材５２の変位を規制する規制部５４が一体的に設けられている。規制部５４は、筒部４４の一端部の内周面から径方向内方に突出した複数の規制凸部５６を含む。複数の規制凸部５６は、筒部４４の周方向に等間隔に設けられている。各規制凸部５６の突出端は、小径部３８の外周面に対して離間している。規制凸部５６の大きさ、数、形状は、任意に設定可能である。
【００２２】
図１Ａにおいて、筒部４４のうち大径部４０よりも他端側（矢印Ｘ２方向）の部位には、係合部３４に接触することによってチョーク弁２２の付勢部材２６の付勢力による回転を規制するストッパ部５８が設けられている。操作部４６は、筒部４４から径方向外方に延出した板状部である。カバー部４８は、係合部３４を覆うように筒部４４の他端部に固定されている。
【００２３】
このように構成される気化器１０のチョーク機構１４は、チョークレバー２８の筒部４４の内孔４４ａ（内方凸部５０と規制部５４との間）にシール部材５２を配置した状態で、筒部４４の他端側（矢印Ｘ２方向）の開口部から支持部材２４の小径部３８を挿入することにより組み付けられる。この際、シール部材５２は、小径部３８の外周面に接触して筒部４４の一端側（矢印Ｘ１方向）に引っ張られるが、規制部５４によってシール部材５２の筒部４４の一端側の変位が規制されているため、筒部４４の内孔４４ａから抜け出ることはない。
【００２４】
気化器１０では、付勢部材２６の付勢方向とは反対方向に操作部４６を回転させると、筒部４４が支持部材２４に対して回転するとともに係合部３４がストッパ部５８に押されて付勢部材２６の付勢力に抗して回転する。これにより、弁軸３０が回転するため、弁体３２の開度が大きくなる。一方、操作部４６に対する回転力を解除すると、付勢部材２６の付勢力によってチョーク弁２２及びチョークレバー２８が元の位置に戻る。
【００２５】
この場合、本実施形態に係る気化器１０は、以下の効果を奏する。
【００２６】
気化器１０は、吸気流路１６が形成された気化器本体１２と、吸気流路１６に設けられたチョーク弁２２と、気化器本体１２に固定された状態でチョーク弁２２の弁軸３０を回転自在に支持する筒状の支持部材２４と、弁軸３０を回転させるためのチョークレバー２８と、を備える。チョークレバー２８は、支持部材２４に回転自在に設けられた筒部４４を有し、筒部４４と支持部材２４との間には、シール部材５２が介設され、筒部４４の一端部には、筒部４４の一端側へのシール部材５２の変位を規制する規制部５４が一体的に設けられている。
【００２７】
このような構成によれば、筒部４４の一端部に規制部５４を一体的に設けているため、シール部材５２の位置を規制するための規制部材を筒部４４とは別に用意する必要がない。そのため、部品点数の増加を抑えつつ筒部４４に支持部材２４を組み付ける際にシール部材５２の変位を規制することができる。
【００２８】
本発明に係る気化器は、上述の実施形態に限らず、本発明の要旨を逸脱することなく、種々の構成を採り得ることはもちろんである。
【符号の説明】
【００２９】
１０…気化器                            １２…気化器本体
１６…吸気流路                          ２２…チョーク弁
２４…支持部材                          ２８…チョークレバー
３０…弁軸                              ４４…筒部
５２…シール部材                        ５４…規制部
【図１】
2020041495.tif 000003